(57)【要約】【課題】本発明は、ステップ軸へのステップ本体の着脱作業を容易にすることを目的とするものである。【解決手段】ステップ軸１１は、上部保持部材１８と下部保持部材１９との間に挟持されている。上部保持部材１８は、強力なベクトル性の磁力を持ったネオジム磁石により構成されている。下部保持部材１９は、ネオジム磁石の吸引力を受ける被吸引部材である。上部保持部材１８は、ステップ軸１１の軸方向へスライド可能になっている。上部保持部材１８をステップ軸１１の軸方向へスライドさせることにより、上部保持部材１８に対する下部保持部材１９の吸着状態が解除され、ステップ軸１１に対するステップ本体１２の着脱が可能となる。【選択図】図２
2011098794.tif 000002
【特許請求の範囲】
【請求項１】
踏板とステップ軸保持部とを有するステップ本体、及び
前記ステップ軸保持部に保持されるステップ軸
を備え、
前記ステップ軸保持部は、磁石の磁力により前記ステップ軸を保持する構造となっていることを特徴とする乗客コンベアのステップ。
【請求項２】
前記ステップ軸保持部は、前記磁石の吸引力を受ける被吸引部材をさらに有し、前記磁石と前記被吸引部材との間に前記ステップ軸を保持することを特徴とする請求項１記載の乗客コンベアのステップ。
【請求項３】
前記磁石及び前記被吸引部材のいずれか一方であるスライド部材が、前記ステップ軸を保持する保持位置と、前記ステップ軸の保持を解除する解除位置との間でスライド可能になっていることを特徴とする請求項２記載の乗客コンベアのステップ。
【請求項４】
前記踏板の裏側には、前記スライド部材のスライドを案内するスライドガイドが設けられており、
前記踏板には、前記スライド部材をスライドさせるための治具を前記踏板上から挿通するための治具挿通孔が設けられていることを特徴とする請求項３記載の乗客コンベアのステップ。
【請求項５】
前記ステップ軸保持部は、
前記スライド部材を前記保持位置側へ付勢する戻しばねと、
前記スライド部材が前記解除位置に移動された際に、前記戻しばねに抗して前記スライド部材の前記保持位置側への移動を阻止する非磁性体製の遮蔽部材とを有しており、
前記遮蔽部材は、ステップ本体外からの操作により、前記スライド部材の前記保持位置側への移動を阻止する遮蔽位置と、前記スライド部材の前記保持位置側への移動を許容する後退位置との間で変位可能となっていることを特徴とする請求項３又は請求項４記載の乗客コンベアのステップ。
【請求項６】
前記ステップ軸保持部は、前記遮蔽部材を前記遮蔽位置側へ付勢する遮蔽部材ばねを有していることを特徴とする請求項５記載の乗客コンベアのステップ。
【請求項７】
前記磁石はネオジム磁石であることを特徴とする請求項１から請求項６までのいずれか１項に記載の乗客コンベアのステップ。
【発明の詳細な説明】
【技術分野】
【０００１】
この発明は、ステップ軸に対してステップ本体が着脱可能な乗客コンベアのステップに関するものである。
【背景技術】
【０００２】
従来の乗客コンベアのステップでは、据付時や保守時にステップ軸にステップ本体を取り付ける場合、ステップ軸保持部に設けられたボルトを特殊な工具で締め付ける。また、ステップ軸からステップ本体を取り外す場合、同様の工具でボルトを緩める。さらに、ステップ本体がステップ軸に固定されていない場合には、圧縮ばね又は磁石の作用により踏板が浮き上がり、ボルトの締め忘れの判別が可能となっている（例えば、特許文献１参照）。
【先行技術文献】
【特許文献】
【０００３】
【特許文献１】特開平１０−１２０３５１号公報
【発明の概要】
【発明が解決しようとする課題】
【０００４】
上記のような従来の乗客コンベアのステップでは、ステップ軸へのステップ本体の着脱時にボルトを回す必要があるため、作業に手間がかかる。また、圧縮ばねや磁石の作用でボルトの締め忘れは判別できるが、ステップ軸へのステップ本体の着脱作業自体は軽減されない。
【０００５】
この発明は、上記のような課題を解決するためになされたものであり、ステップ軸へのステップ本体の着脱作業を容易にすることができる乗客コンベアのステップを得ることを目的とする。
【課題を解決するための手段】
【０００６】
この発明に係る乗客コンベアのステップは、踏板とステップ軸保持部とを有するステップ本体、及びステップ軸保持部に保持されるステップ軸を備え、ステップ軸保持部は、磁石の磁力によりステップ軸を保持する構造となっている。
【発明の効果】
【０００７】
この発明の乗客コンベアのステップは、ステップ軸保持部は、磁石の磁力によりステップ軸を保持する構造となっているので、ボルトを回転操作する必要がなく、ステップ軸へのステップ本体の着脱作業を容易にすることができる。
【図面の簡単な説明】
【０００８】
【図１】この発明の実施の形態１によるエスカレータを示す側面図である。
【図２】図１のステップを示す側面図である。
【図３】図２のステップを示す平面図である。
【図４】図２のステップ軸保持部がステップ軸をキャッチしている状態を示す正面図である。
【図５】図４のステップ軸保持部がステップ軸を解放した状態を示す正面図である。
【図６】図４の要部を示す斜視図である。
【図７】図５の要部を示す斜視図である。
【図８】図４の遮蔽部材を示す正面図である。
【図９】図４の上部保持部材を解除位置へ移動させる途中の状態を示す正面図である。
【図１０】図９の上部保持部材を解除位置へ移動させた直後の状態を示す正面図である。
【発明を実施するための形態】
【０００９】
以下、この発明を実施するための形態について、図面を参照して説明する。
実施の形態１．
図１はこの発明の実施の形態１によるエスカレータを示す側面図である。図において、トラス１の上端部には、駆動装置２及び上部スプロケット３が設けられている。上部スプロケット３は、駆動装置２により回転される。
【００１０】
トラス１の下端部には、下部スプロケット４が設けられている。上部スプロケット３と下部スプロケット４との間には、ステップチェーン５が巻き掛けられている。ステップチェーン５には、複数のステップ６（図では一部のみ示す）が連結されている。
【００１１】
トラス１上には、一対の欄干７が立設されている。欄干７は、ステップ６の往路の左右両側に設けられている。各欄干７には、ステップ６の移動に連動して移動される移動手摺８が設けられている。
【００１２】
図２は図１のステップ６を示す側面図、図３は図２のステップ６を示す平面図である。ステップ６は、ステップチェーン５に連結されたステップ軸１１と、ステップ軸１１に取り付けられているステップ本体１２とを有している。
【００１３】
ステップ軸１１は、ステップ６の幅方向（図３の左右方向）に平行に配置されている。ステップ軸１１の両端部には、一対の駆動ローラ（図示せず）が設けられている。駆動ローラは、ステップ６の移動時には、トラス１に固定された一対の駆動ローラレール（図示せず）に沿って転動される。
【００１４】
ステップ本体１２は、ブラケット１３と、踏板１４と、ライザ１５と、一対のステップ軸保持部１６と、一対の従動ローラ１７とを有している。従動ローラ１７は、ステップ６の移動時には、トラス１に固定された一対の従動ローラレール（図示せず）に沿って転動される。
【００１５】
ステップ軸保持部１６は、ステップ６の幅方向に互いに間隔をおいて配置されている。踏板１４には、一対の治具挿通孔１４ａがステップ軸保持部１６の位置に対応して設けられている。各ステップ軸保持部１６は、上部保持部材１８と、下部保持部材１９とを有している。ステップ軸１１は、上部保持部材１８と下部保持部材１９との間に挟持されている。下部保持部材１９は、ブラケット１３に回動軸２０を中心として回動可能に連結されている。
【００１６】
上部保持部材１８は、強力なベクトル性の磁力を持ったネオジム磁石により構成されている。下部保持部材１９は、ネオジム磁石の吸引力を受ける被吸引部材である。即ち、ステップ軸保持部１６は、磁石の磁力によりステップ軸１１を保持する構造となっている。また、ステップ６のステップ軸保持部１６以外の部分、例えばブラケット１３や踏板１４等は磁力の影響を受けない非磁性体（アルミニウム合金等）によって構成されている。
【００１７】
さらに、上部保持部材１８は、ステップ軸１１の軸方向へスライド可能になっている。即ち、実施の形態１のスライド部材は、上部保持部材１８である。上部保持部材１８をステップ軸１１の軸方向へスライドさせることにより、上部保持部材１８に対する下部保持部材１９の吸着状態が解除され、下部保持部材１９が図２の時計方向へ回動可能となり、ステップ軸１１に対するステップ本体１２の着脱が可能となる。
【００１８】
図４は図２のステップ軸保持部１６がステップ軸１１をキャッチしている状態を示す正面図、図５は図４のステップ軸保持部１６がステップ軸１１を解放した状態を示す正面図、図６は図４の要部を示す斜視図、図７は図５の要部を示す斜視図である。
【００１９】
上部保持部材１８は、ステップ軸１１を保持する保持位置（図４及び図６）と、ステップ軸１１の保持を解除する解除位置（図５及び図７）との間でスライド可能になっている。踏板１４の裏側には、上部保持部材１８のスライドを案内する一対のスライドガイド２１が設けられている。
【００２０】
上部保持部材１８には、一対のバックアップ部材２２が固定されている。バックアップ部材２２は、上部保持部材１８が保持位置に位置するときに下部保持部材１９に係合して外れ止めとして機能する。下部保持部材１９には、バックアップ部材２２が挿入される一対の外れ止め穴１９ａが設けられている。また、下部保持部材１９には、磁性体２３が埋め込まれている。
【００２１】
ステップ軸保持部１６は、戻しばね２４と、非磁性体製の遮蔽部材２５と、遮蔽部材ばね２６とをさらに有している。戻しばね２４は、上部保持部材１８を保持位置側へ付勢する。遮蔽部材２５は、上部保持部材１８が解除位置に移動された際に、戻しばね２４に抗して上部保持部材１８の保持位置側への移動を阻止する。
【００２２】
また、遮蔽部材２５は、ステップ本体１２外からの操作により、上部保持部材１８の保持位置側への移動を阻止する遮蔽位置（図５及び図７）と、上部保持部材１８の保持位置側への移動を許容する後退位置（図４及び図６）との間で上下方向へ変位可能となっている。遮蔽部材ばね２６は、遮蔽部材２５を遮蔽位置側へ付勢する。なお、図８は遮蔽部材２５を示す正面図である。
【００２３】
次に、ステップ軸１１からのステップ本体１２の着脱方法について説明する。図９は図４の上部保持部材１８を解除位置へ移動させる途中の状態を示す正面図、図１０は図９の上部保持部材１８を解除位置へ移動させた直後の状態を示す正面図である。
【００２４】
ステップ軸１１からステップ本体１２を取り外す場合、上部保持部材１８をスライドさせるための治具２７を、踏板１４上から治具挿通孔１４ａに挿入する。治具２７の先端部は、Ｌ字形になっている。この治具２７により、上部保持部材１８をステップ軸１１に沿って解除位置側へスライドさせる。このとき、戻しばね２４は圧縮され、バックアップ部材２２は外れ止め穴１９ａから引き抜かれる。
【００２５】
上部保持部材１８が解除位置まで移動されると、遮蔽部材ばね２６のばね力により遮蔽部材２５が遮蔽位置へ変位され、上部保持部材１８が解除位置に保持される。この状態からステップ本体１２を持ち上げることにより、下部保持部材１９が図２の時計方向へ回動され、ステップ軸保持部１６によるステップ軸１１の保持が解除され、ステップ軸１１からステップ本体１２が取り外し可能となる。
【００２６】
また、ステップ軸１１にステップ本体１２を取り付ける場合、図１０の状態から治具２７により遮蔽部材２５を持ち上げ後退位置へ変位させる。図８に示すように、遮蔽部材２５には、遮蔽位置に位置するときでも治具２７を係合可能な係合溝が設けられている。これにより、戻しばね２４の復元力により上部保持部材１８が保持位置へ戻され、ステップ軸保持部１６によりステップ軸１１が保持される。
【００２７】
このような乗客コンベアのステップ６では、ステップ軸保持部１６が、磁石の磁力によりステップ軸１１を保持する構造となっているので、ボルトを回転操作する必要がなく、ステップ軸１１へのステップ本体１２の着脱作業を容易にすることができる。
【００２８】
また、ステップ軸保持部１６は、上部保持部材１８と下部保持部材１９との間にステップ軸１１を保持するので、より簡単な構造でステップ軸１１へのステップ本体１２の着脱作業を容易にすることができる。
【００２９】
さらに、上部保持部材１８が保持位置と解除位置との間でスライド可能になっているので、ステップ軸１１の保持・解除を容易に切り替えることができる。
さらにまた、踏板１４の裏側には、上部保持部材１８のスライドを案内するスライドガイド２１が設けられており、踏板１４には治具挿通孔１４ａが設けられているので、簡単な構造により踏板１４上から上部保持部材１８をスライドさせることができる。
【００３０】
また、ステップ軸保持部１６に戻しばね２４と遮蔽部材２５とを設けたので、簡単な構造により上部保持部材１８を解除位置に保持することができる。
さらに、ステップ軸保持部１６に遮蔽部材ばね２６を設けたので、簡単な構造により遮蔽部材２５を遮蔽位置に保持することができる。
さらにまた、ベクトル方向に対する力に関しては非常に高い吸引力を持つが、横からの力に対しては比較的弱いネオジム磁石を用いたので、ステップ軸１１をより強固に保持することができるとともに、ベクトル性の高さを利用して、ステップ軸１１の保持状態を容易に解除することもできる。
【００３１】
また、上部保持部材１８にバックアップ部材２２を設けるとともに、下部保持部材１９に外れ止め穴１９ａを設けたので、上部保持部材１８が保持位置に位置するときに、ステップ軸１１をより確実に保持することができる。
【００３２】
なお、上記の例では、上部保持部材１８をネオジム磁石で構成し、下部保持部材１９を被吸引部材としたが、逆であってもよく、また両方に磁石を設けてもよい。
また、上記の例では、磁石側をスライド部材としたが、被吸引部材をスライド可能なスライド部材としてもよい。
さらに、上記の例では、上部保持部材１８にバックアップ部材２２を設けたが、バックアップ部材２２は、下部保持部材１９に設けても、両方に設けてもよい。
さらにまた、この発明のステップ軸保持構造は、全てのステップ６に適用しても、一部のステップ６のみに適用してもよい。
また、上記の例ではエスカレータを示したが、この発明は動く歩道にも適用できる。
【符号の説明】
【００３３】
６  ステップ、１１  ステップ軸、１２  ステップ本体、１４  踏板、１４ａ  治具挿通孔、１６  ステップ軸保持部、１８  上部保持部材（スライド部材）、１９  下部保持部材（被吸引部材）、２１  スライドガイド、２４  戻しばね、２５  遮蔽部材、２６  遮蔽部材ばね、２７  治具。
【図１】
2011098794.tif 000003
【図２】
2011098794.tif 000004
【図３】
2011098794.tif 000005
【図４】
2011098794.tif 000006
【図５】
2011098794.tif 000007
【図６】
2011098794.tif 000008
【図７】
2011098794.tif 000009
【図８】
2011098794.tif 000010
【図９】
2011098794.tif 000011
【図１０】
2011098794.tif 000012